(57)【要約】【課題】プロジェクションＴＶのフォーカスを改善できるようにした偏向ヨーク装置を提供する。【解決手段】セパレータ（ＳＴ，ＳＢ）の前端側周面であって且つ水平面から２６゜〜２８゜、１５２゜〜１５４゜、２０６゜〜２０８゜、３３２゜〜３３４゜の４カ所に画面の４隅へ飛行する電子を内側へ押し入れるフォーカス調整用磁片（８１，８２，８３，８４）を装着する。また、セパレータ（ＳＴ，ＳＢ）の前端側周面であって且つ水平面から９０゜、２７０゜の２カ所に画面の上辺中央および下辺中央へ飛行する電子を画面中央側へ押し入れるフォーカス調整用磁片（８５，８６）を装着する。【効果】プロジェクションＴＶのフォーカスを改善することが出来る。【選択図】　図１
2004022300.tif 000002
【特許請求の範囲】
【請求項１】
水平偏向コイル（ＨＴ，ＨＢ）と垂直偏向コイル（ＶＬ，ＶＲ）とをアイソレートするためのセパレータ（ＳＴ，ＳＢ）の前端側周面であって且つ水平面から２６゜〜２８゜、１５２゜〜１５４゜、２０６゜〜２０８゜、３３２゜〜３３４゜の４カ所に画面の４隅へ飛行する電子を内側へ押し入れるフォーカス調整用磁片（８１，８２，８３，８４）を装着したことを特徴とするプロジェクションＴＶ用偏向ヨーク装置（１００）。
【請求項２】
請求項１に記載のプロジェクションＴＶ用偏向ヨーク装置（１００）において、前記４カ所のフォーカス調整用磁片（８１，８２，８３，８４）の磁極を前後方向に向けて装着したことを特徴とするプロジェクションＴＶ用偏向ヨーク装置（１００）。
【請求項３】
請求項１または請求項２に記載のプロジェクションＴＶ用偏向ヨーク装置（１００）において、前記セパレータ（ＳＴ，ＳＢ）の前端側周面であって且つ水平面から９０゜、２７０゜の２カ所に画面の上辺中央および下辺中央へ飛行する電子を画面中央側へ押し入れるフォーカス調整用磁片（８５，８６）を装着したことを特徴とするプロジェクションＴＶ用偏向ヨーク装置（１００）。
【請求項４】
請求項１に記載のプロジェクションＴＶ用偏向ヨーク装置（１００）において、前記２カ所のフォーカス調整用磁片（８５，８６）の磁極を左右方向に向けて装着したことを特徴とするプロジェクションＴＶ用偏向ヨーク装置（１００）。
【発明の詳細な説明】
【０００１】
【発明の属する技術分野】
本発明は、プロジェクションＴＶ用偏向ヨーク装置に関し、さらに詳しくは、プロジェクションＴＶのフォーカスを改善することが出来るプロジェクションＴＶ用偏向ヨーク装置に関する。
【０００２】
【従来の技術】
主偏向ヨークと副偏向ヨークとを具備してなるプロジェクションＴＶ用偏向ヨーク装置の従来例は、例えば特開２０００−０２１３３０号公報に開示されている。
【０００３】
【発明が解決しようとする課題】
プロジェクションＴＶでは、偏向ヨークの磁界分布を調整したり、ＣＲＴのファンネル側ネック径より電子銃側ネック径を太くしたりして、フォーカスを改善している。
しかしながら、十分なフォーカスが得られない問題点があった。具体的には、図９に示すように、画面の４隅でのスポット（ＵＲ，ＵＬ，ＢＲ，ＢＬ）の形状、上辺中央および下辺中央でのスポット（ＵＣ，ＢＣ）の形状が真円にならず、扁平になっていた。
そこで、本発明の目的は、プロジェクションＴＶのフォーカスを改善することが出来るプロジェクションＴＶ用偏向ヨーク装置を提供することにある。
【０００４】
【課題を解決するための手段】
第１の観点では、本発明は、水平偏向コイル（ＨＴ，ＨＢ）と垂直偏向コイル（ＶＬ，ＶＲ）とをアイソレートするためのセパレータ（ＳＴ，ＳＢ）の前端側周面であって且つ水平面から２６゜〜２８゜、１５２゜〜１５４゜、２０６゜〜２０８゜、３３２゜〜３３４゜の４カ所に画面の４隅へ飛行する電子を内側へ押し入れるフォーカス調整用磁片（８１，８２，８３，８４）を装着してことを特徴とするプロジェクションＴＶ用偏向ヨーク装置（１００）を提供する。
上記第１の観点によるプロジェクションＴＶ用偏向ヨーク装置（１００）では、画面の４隅に対応するセパレータ（ＳＴ，ＳＢ）の前端側周面の４カ所にフォーカス調整用磁片（８１，８２，８３，８４）を装着し、画面の４隅へ飛行する電子を内側へ押し入れるようにした。これにより、画面の４隅で扁平になっていたスポット（ＵＲ，ＵＬ，ＢＲ，ＢＬ）の形状が真円に近くなり、フォーカスが改善される。
【０００５】
第２の観点では、本発明は、上記構成のプロジェクションＴＶ用偏向ヨーク装置（１００）において、前記４カ所のフォーカス調整用磁片（８１，８２，８３，８４）の磁極を前後方向に向けて装着したことを特徴とするプロジェクションＴＶ用偏向ヨーク装置（１００）を提供する。
フォーカスを改善しようとすると、歪みが大きくなってしまうことがあるが、上記第２の観点によるプロジェクションＴＶ用偏向ヨーク装置（１００）では、フォーカス調整用磁片（８１，８２，８３，８４）の磁極を前後方向に向けて装着することにより、歪みを大きくせずに、フォーカスを改善できる。
【０００６】
第３の観点では、本発明は、上記構成のプロジェクションＴＶ用偏向ヨーク装置（１００）において、前記セパレータ（ＳＴ，ＳＢ）の前端側周面であって且つ水平面から９０゜、２７０゜の２カ所に画面の上辺中央および下辺中央へ飛行する電子を画面中央側へ押し入れるフォーカス調整用磁片（８５，８６）を装着したことを特徴とするプロジェクションＴＶ用偏向ヨーク装置（１００）を提供する。
上記第３の観点によるプロジェクションＴＶ用偏向ヨーク装置（１００）では、画面の上辺中央および下辺中央に対応するセパレータ（ＳＴ，ＳＢ）の前端側周面の２カ所にフォーカス調整用磁片（８５，８６）を装着し、画面の上辺中央および下辺中央へ飛行する電子を画面中央へ押し入れるようにした。これにより、画面の上辺中央および下辺中央で扁平になっていたスポット（ＵＣ，ＢＣ）の形状が真円に近くなり、フォーカスが改善される。
【０００７】
第４の観点では、本発明は、上記構成のプロジェクションＴＶ用偏向ヨーク装置（１００）において、前記２カ所のフォーカス調整用磁片（８５，８６）の磁極を左右方向に向けて装着したことを特徴とするプロジェクションＴＶ用偏向ヨーク装置（１００）を提供する。
上記第４の観点によるプロジェクションＴＶ用偏向ヨーク装置（１００）では、フォーカス調整用磁片（８５，８６）の磁極を左右方向に向けて装着することにより、フォーカスを効率よく改善できる。
【０００８】
【発明の実施の形態】
以下、図に示す実施形態により本発明をさらに詳細に説明する。なお、これにより本発明が限定されるものではない。
【０００９】
図１は、本発明の一実施形態にかかるプロジェクションＴＶ用偏向ヨーク装置１００を示す正面図である。また、図２は、プロジェクションＴＶ用偏向ヨーク装置１００を示す右側面図である。
このプロジェクションＴＶ用偏向ヨーク装置１００において、セパレータＳＴ，ＳＢの前端側周面であって且つ水平面から２６〜２８゜、１５２゜〜１５４゜、２０６゜〜２０８゜、３３２゜〜３３４゜の４カ所に、画面の４隅へ飛行する電子を内側へ押し入れるフォーカス調整用磁片８１，８２，８３，８４が装着されている。
フォーカス調整用磁片８１，８２，８３，８４の磁極は、前後方向に向けてある。
【００１０】
また、セパレータＳＴ，ＳＢの前端側周面であって且つ水平面から９０゜、２７０゜の２カ所に、画面の上辺中央および下辺中央へ飛行する電子を画面中央側へ押し入れるフォーカス調整用磁片８５，８６が装着されている。
フォーカス調整用磁片８５，８６の磁極は、左右方向に向けてある。
【００１１】
図３は、図１のＡ−Ａ’断面図である。また、図４は、図２のＢ−Ｂ’端面図である。
セパレータＳＴ，ＳＢは、内側に装着された水平偏向コイルＨＴ，ＨＢと、外側に装着された垂直偏向コイルＶＲ，ＶＬとを、アイソレートしている。
【００１２】
上セパレータＳＴおよび上水平偏向コイルＨＴは一体化されており、下セパレータＳＢおよび下水平偏向コイルＨＢは一体化されており、上セパレータＳＴおよび上水平偏向コイルＨＴと下セパレータＳＢおよび下水平偏向コイルＨＢとは、上下に開くようにして分離することが出来る。
【００１３】
左垂直偏向コイルＶＬと右垂直偏向コイルＶＲとは、セパレータＳＴ，ＳＢを左右から挟むように装着されているが、左右に開くようにして取り外すことが出来る。
上コアＣＴと下コアＣＢとは、垂直偏向コイルＶＬ，ＶＲを上下から挟むように装着されているが、上下に開くようにして取り外すことが出来る。
【００１４】
下セパレータＳＢの一端には、上水平偏向コイルＨＴと下水平偏向コイルＨＢとを分離するためのリブ部ＬＲが設けられている。また、上セパレータＳＴの一端には、上水平偏向コイルＨＴと下水平偏向コイルＨＢとを分離するためのリブ部ＬＬが設けられている。
【００１５】
図５は、プロジェクションＴＶ用偏向ヨーク装置１００をプロジェクションＴＶ用異形ネックＣＲＴ１１に取り付けた状態を示す右側面図である。
プロジェクションＴＶ用偏向ヨーク装置１００は、プロジェクションＴＶ用異形ネックＣＲＴ１１のファンネル側ネック部Ｎｆに取り付けられる。
プロジェクションＴＶ用異形ネックＣＲＴ１１の電子銃側ネック部Ｎｇの直径は、ファンネル側ネック部Ｎｆの直径より太くなっている。
【００１６】
図６は、フォーカス調整用磁片８１，８２，８３，８４の作用を示す説明図である。
フォーカス調整用磁片８１，８２，８３，８４の磁界ｈは、画面の４隅へ飛行する電子ｉを内側へ押し入れる力ｆを与える。
この力ｆは、フォーカス調整用磁片８１，８２，８３，８４に近いほど大きい。つまり、画面の隅へ飛行する電子ｉほど大きく内側に入れられる。このため、扁平に広がっていたスポット（図９のＵＲ，ＵＬ，ＢＲ，ＢＬ）が、真円率５０％以上の円に近い形状のスポット（図８のＵＲ，ＵＬ，ＢＲ，ＢＬ）に改善される。
【００１７】
図７は、フォーカス調整用磁片８５，８６の作用を示す説明図である。
フォーカス調整用磁片８５，８６の磁界ｈは、画面の上辺中央および下辺中央へ飛行する電子ｉを内側へ押し入れる力ｆを与える。
この力ｆは、フォーカス調整用磁片８５，８６に近いほど大きい。つまり、画面の上辺または下辺へ飛行する電子ｉほど大きく内側に入れられる。このため、扁平に広がっていたスポット（図９のＵＣ，ＢＣ）が、円に近い形状のスポット（図８のＵＣ，ＢＣ）に改善される。
【００１８】
なお、電子銃側ネック部Ｎｇの直径とファンネル側ネック部Ｎｆの直径とが等しいプロジェクションＴＶ用ストレートネックＣＲＴに、プロジェクションＴＶ用偏向ヨーク装置１００を取り付けてもよい。
【００１９】
【発明の効果】
本発明のプロジェクションＴＶ用偏向ヨーク装置（１００）によれば、プロジェクションＴＶのフォーカスを改善することが出来る。
【図面の簡単な説明】
【図１】本発明の一実施形態にかかるプロジェクションＴＶ用偏向ヨーク装置の正面図である。
【図２】本発明の一実施形態にかかるプロジェクションＴＶ用偏向ヨーク装置の右側面図である。
【図３】図１のＡ−Ａ’断面図である。
【図４】図２のＢ−Ｂ’端面図である。
【図５】本発明の一実施形態にかかるプロジェクションＴＶ用偏向ヨーク装置をプロジェクションＴＶ用異形ネックＣＲＴに取り付けた状態を示す右側面図である。
【図６】本発明の４隅のフォーカス調整用磁片の作用を示す説明図である。
【図７】本発明の上下のフォーカス調整用磁片の作用を示す説明図である。
【図８】本発明にかかる画面上のスポットを示す例示図である。
【図９】従来の画面上のスポットを示す例示図である。
【符号の説明】
１００　　　　　　　プロジェクションＴＶ用偏向ヨーク装置
１１　　　　　　　　プロジェクションＴＶ用異形ネックＣＲＴ
８１，８２，８３，８４　　　フォーカス調整用磁片
８５，８６　　　　　　　　　フォーカス調整用磁片
ＣＢ　　　　　　　　下コア
ＣＴ　　　　　　　　上コア
ＨＴ　　　　　　　　上水平偏向コイル
ＨＢ　　　　　　　　下水平偏向コイル
ＳＢ　　　　　　　　下セパレータ
ＳＴ　　　　　　　　上セパレータ
ＶＬ　　　　　　　　左垂直偏向コイル
ＶＲ　　　　　　　　右垂直偏向コイル
【図１】
2004022300.tif 000003
【図２】
2004022300.tif 000004
【図３】
2004022300.tif 000005
【図４】
2004022300.tif 000006
【図５】
2004022300.tif 000007
【図６】
2004022300.tif 000008
【図７】
2004022300.tif 000009
【図８】
2004022300.tif 000010
【図９】
2004022300.tif 000011